(57)【要約】【課題】簡素な構成でキャラクタに関心を引きつける動作をさせる。【解決手段】筆記具２は、中空の軸筒３内部にボールペンの芯６が収納され、軸筒３上端には、突出して上下動するノック部１４が設けられる。この筆記具２は、ノック部１４を押圧するたびに軸筒下端５からペン先７を出し入れして交互に出没いずれか一方に保持し、この出または没状態に応じてノック部１４が上下いずれかの位置Ｐ１、Ｐ２に保持されるようになっている。キャラクタ本体２０は下端部２１がノック部１４の上端に取り付けられ上部２２Ｂで押圧力を受けるようになっている。隠し部３０は下端部が軸筒３の上端部に取り付けられ、内部をキャラクタ本体２０の下端部２１が上下しキャラクタ本体２０の一部を隠す空間３１が形成される。キャラクタ本体２０を指で下方に押圧するたびに、キャラクタ本体下部２２Ａは隠し部３０に隠れたり、現れたりを交互に繰り返す。【選択図】  図２
2005305925.tif 000002
【特許請求の範囲】
【請求項１】
中空の軸筒内部に筆記体を収納し、軸筒上端から突出して上下動するノック部を設け、このノック部を押圧するたびに軸筒下端から筆記体先端を出し入れして交互に出没いずれか一方に保持し、この出または没状態に応じてノック部が上下いずれかの位置に保持される筆記具において、
下端部がノック部上端に取り付けられ上部で押圧力を受けるキャラクタ本体と、下端部が軸筒上端部に取り付けられ、内部をキャラクタ本体の下端部が上下しキャラクタ本体の一部を隠す空間が形成された隠し部とを設けたことを特徴とする筆記具。
【請求項２】
隠し部がキャラクタ本体と関連を有するキャラクタの一部を構成することを特徴とする請求項１に記載の筆記具。
【請求項３】
キャラクタ本体の上部には、キャラクタ本体の一部が隠れ部に隠れた際、キャラクタ本体のキャラクタ主要意匠部を見えにくくする蓋状部がキャラクタの一部として形成されることを特徴とする請求項１または２に記載の筆記具。
【発明の詳細な説明】
【技術分野】
【０００１】
本発明は、筆記具に関し、特に、キャラクタを備えた筆記具に関するものである。
【背景技術】
【０００２】
一般に、ノック式ボールペン等の筆記具には、需要者の趣味性を満たすため、キャラクタ（人気のある人・動物・シンボルまたはそのイメージ、マスコット、縁起物など）を筆記具軸筒の上部に取り付けることがある。従来、このようなキャラクタを単に取り付けるだけでなく、キャラクタを動かすようにした筆記具が提案されている。例えば、筆記具上部に蓋を有する筺体を設け、この筐体内にキャラクタを収容し、クリップ部のノックによるペン先の出没操作に伴って、収容された立体キャラクタを蓋を開いて飛び出させるようにした筆記具が提案されている。上記従来の筆記具では、クリップ部を出没操作部として構成し、この出没操作部に噛合するギアを介して上下に変移するロッドと組み合わせ、このロッド先端にキャラクタを取り付けている。筐体開口には、蓋が開閉自在に軸支されている。この蓋を揺動アームによりロッドと連結している。クリップ部を操作することにより、ロッドの上昇によりアームが蓋を開くとともに、ロッドがさらに上方に変移しキャラクタが飛び出すようになっている。（特許文献１参照）。
【特許文献１】実用新案登録第３０７６５８２号公報（第２頁、図１）
【発明の開示】
【発明が解決しようとする課題】
【０００３】
しかしながら、上記従来の筆記具では、キャラクタを飛び出させるために複雑な構成が求められ多数の部品が必要になるという問題がある。また、狭隘な空間内に多数の部品を組み込むため、部品を薄肉化したり小型化したりしなければならず、耐久性を欠き故障しやすいという問題がある。
【０００４】
本発明は、上記課題を解決するためになされたもので、簡素な構成でキャラクタにシンプルな動きの変化でさも遊んでいるような印象を持たせることができ、しかも、耐久性に優れ、多様なキャラクタに対応することができる筆記具を提供することを目的とするものである。
【課題を解決するための手段】
【０００５】
本発明に係る筆記具は、中空の軸筒内部に筆記体を収納し、軸筒上端から突出して上下動するノック部を設け、このノック部を押圧するたびに軸筒下端から筆記体先端を出し入れして交互に出没いずれか一方に保持し、この出または没状態に応じてノック部が上下いずれかの位置に保持される筆記具において、下端部がノック部上端に取り付けられ上部で押圧力を受けるキャラクタ本体と、下端部が軸筒上端部に取り付けられ、内部をキャラクタ本体の下端部が上下しキャラクタ本体の一部を隠す空間が形成された隠し部とを設けたものである。
【０００６】
本発明に係る筆記具では、中空の軸筒内部に筆記体を収納し、軸筒上端から突出して上下動するノック部を設け、このノック部を押圧するたびに軸筒下端から筆記体先端を出し入れして交互に出没いずれか一方に保持し、この出または没状態に応じてノック部が上下いずれかの位置に保持される筆記具において、下端部がノック部上端に取り付けられ上部で押圧力を受けるキャラクタ本体と、下端部が軸筒上端部に取り付けられ、内部をキャラクタ本体の下端部が上下しキャラクタ本体の一部を隠す空間が形成された隠し部とを設けたことにより、キャラクタ本体上部が指で押圧されると、キャラクタ本体と一体にノック部が押し下げられ、筆記体先端が軸筒下端から突出され出状態に保持されると、ノック部は下側の位置に保持される。このため、キャラクタ本体の下側は隠し部の中に隠れ、キャラクタ本体の上側のみが外部に露出する。次に、再びキャラクタ本体上部を指で押圧すると、キャラクタ本体とともにノック部が押し下げられ、筆記体先端が出状態から軸筒内部に収納された没状態に保持されると、ノック部は上側の位置に保持される。このため、隠し部の中に隠れていたキャラクタ本体の下側が外部に露出する。このように、キャラクタ本体の上部を押すたびにキャラクタ本体の一部が隠し部に隠れたり現れたりするので、かくれんぼ遊びをしているような楽しい動作を需要者に印象付けることができる。
【０００７】
また、請求項２に係る筆記具は、隠し部がキャラクタ本体と関連を有するキャラクタの一部を構成するようにしたものである。
【０００８】
請求項２に係る筆記具では、隠し部がキャラクタ本体と関連を有するキャラクタの一部を構成するようにしたことにより、隠し部もキャラクタとして利用することができ、意匠面が増大されるので、印象がより強くなる。
【０００９】
さらに、請求項３に係る筆記具は、キャラクタ本体の上部には、キャラクタ本体の一部が隠れ部に隠れた際、キャラクタ本体のキャラクタ主要意匠部を見えにくくする蓋状部がキャラクタの一部として形成されるようにしたものである。
【００１０】
請求項３に係る筆記具では、キャラクタ本体の上部には、キャラクタ本体の一部が隠れ部に隠れた際、キャラクタ本体のキャラクタ主要意匠部を見えにくくする蓋状部がキャラクタの一部として形成されるようにしたことにより、キャラクタ本体全体が露出したときの印象がより強くなり、意外性が増大する。
【発明の効果】
【００１１】
本発明に係る筆記具は、中空の軸筒内部に筆記体を収納し、軸筒上端から突出して上下動するノック部を設け、このノック部を押圧するたびに軸筒下端から筆記体先端を出し入れして交互に出没いずれか一方に保持し、この出または没状態に応じてノック部が上下いずれかの位置に保持される筆記具であって、下端部がノック部上端に取り付けられ上部で押圧力を受けるキャラクタ本体と、下端部が軸筒上端部に取り付けられ、内部をキャラクタ本体の下端部が上下しキャラクタ本体の一部を隠す空間が形成された隠し部とを設けるようにしているので、ノック部を押すたびにキャラクタが隠れ部から現れたり隠れたりし、キャラクタにさも遊んでいるような印象を持たせることができ、その変化を視覚的に楽しむことができ、子どもの興味や関心を高め、付加価値を高めることができる。また、キャラクタ本体はノック部上に、隠れ部は軸筒上端部にそれぞれ設けるようにしているので、空間的な制約が少なく、キャラクタ本体の設計寸法の自由度が増し、多様なキャラクタに対応させることができる。さらに、空間的制約が少ないので、キャラクタ本体を大きくかつ頑丈な作りとすることができ、耐久性を向上させることができる。
【発明を実施するための最良の形態】
【００１２】
キャラクタにシンプルな動きの変化でさも遊んでいるような印象を持たせ、子どもの関心を引くという目的を、ノック部には、キャラクタ本体を、軸筒には、隠し部をそれぞれ設け、キャラクタ本体の下端部をノック部上端に取り付け、隠し部の下端部を軸筒上端部に取り付け、この隠し部の内部をキャラクタ本体の下端部が上下するように構成し、ノック部が下側位置にあるとき、隠し部でキャラクタ本体の一部を隠し、ノック部が上側位置にあるとき、キャラクタ本体の隠れた一部を隠し部から露出させることにより実現した。
【実施例１】
【００１３】
以下、図面に示す実施の形態により本発明を説明する。図１の（Ａ）、（Ｂ）はそれぞれ本発明の第１の実施例に係る筆記具の動作を示す説明図である。本実施の形態に係る筆記具２は、図１に示すように、軸筒３とこの軸筒３の上側に設けられたキャラクタ４とを備えている。軸筒３は、図３に示すように、中空の内部にボールペンの芯（筆記体）６が進退可能に収納され、先細状に形成された下端部８の先端口５からペン先（筆記体先端）７が出し入れされるようになっている。下端部８の内周上端には、段部９が形成される。この段部９と、芯６に形成されたクリンプ１０との間には、ばね１１が装着される。軸筒３には、有底筒状のノック部１４が上端開口１３から突出して上下動可能に設けられる。このノック部１４と芯６との間には、ノック機構１５が設けられる。ノック機構１５は、ノック部１４が上方から押圧されると、この押圧力により芯６を下方に押出しながら回転させるようになっている。また、軸筒３には、芯６に接離可能に係止されるロック機構１２が設けられる。このロック機構１２は、上方からの押圧力を受けて芯６が下方に押し出されるとともに回転されると、その度に芯６との係合が解除され、芯６に押圧力がかからなくなると、ばね１１の付勢力により芯６を上側ロック位置（ペン先７が軸筒３内に収納される収納位置）と下側ロック位置（ペン先７が突出する筆記位置）とに交互に保持してロックするようになっている。このように、筆記具２は、軸筒３の内部に芯６を収納し、ノック部１４を押圧するたびに軸筒３下端の先端口５からペン先７を出し入れして交互に出没いずれか一方に保持し、この出または没状態に応じてノック部１４は上端が上下いずれかの位置Ｐ１、Ｐ２に保持されるようになっている。
【００１４】
ところで、ノック部１４の上端には、図２の（Ａ）、（Ｂ）に示すように、キャラクタ４の一部を構成するキャラクタ本体２０が取り付けられる。このキャラクタ本体２０は、円板状の下端部２１とこの下端部２１の上側に形成されたキャラクタ像２２とを有している。下端部２１の底面中央には、取り付け穴が形成され、この穴にノック部１４の上端部が嵌め入れられて接着される。キャラクタ本体２０は、硬質の合成樹脂で形成され、上方から指により押圧されても耐える強度を持っている。キャラクタ本体２０は、上部が上方から指で押圧されると、ノック部１４と一体に動くようになっている。キャラクタ像２２の下部２２Ａは、円板状下端部２１の外周より内側に形成される。このキャラクタ像下部２２Ａの高さＨは、円板状下端部２１上面からノック部１４の上下位置Ｐ１、Ｐ２間のストローク距離Ｓ分に対応する高さとなっている（Ｈ＝Ｓ）。この下部２２Ａより上側の、キャラクタ像上部２２Ｂは、下端部２１外周より径方向外側に拡がって形成される。
【００１５】
軸筒３の上端部には、内部に円筒状の空隙部３１が形成された筒状隠し部３０が取り付けられる。この隠し部３０は、内部の空隙部３１内周面に沿ってキャラクタ本体２０の下端部２１が上下するようになっている。この隠し部３０は、キャラクタ４の残りの部分を構成し、外面には、キャラクタ本体２０と関連を有するキャラクタの一部が意匠面として形成されている。関連を有するキャラクタとは、例えば、この実施例では、キャラクタ本体２０が森の小人であれば、隠し部３０がきのこであるように連想しやすいイメージのことをいう。さらに、例えば、キャラクタ本体１２０がリスであれば、隠し部１３０がドングリであったり（後述する第２の実施例参照）、キャラクタ本体２２０が熊であれば、隠し部２３０が蜂蜜の壺であったり（後述する第３の実施例参照）することをいう。
【００１６】
次に、上記第１の実施例に係る筆記具の作用について説明する。この第１の実施例に係る筆記具２は、キャラクタ本体２０のキャラクタ像上部２２Ｂが指で下方に押圧されると、キャラクタ本体２０と一体にノック部１４が押し下げられ、芯６が下方に押し出されながら回転してペン先７が軸筒３下端の先端口５から飛び出し、芯６はロック機構１２との係合が解かれる。次に、指がキャラクタ本体２０から離れ押圧力が消えると、芯６はばね１１により上方に弾性復帰されるとともにロック機構１２に係合して下側ロック位置に保持される。こうして、ペン先７が先端口５から突出した状態で、すなわち、筆記できる状態でロックされる（図１の（Ｂ）、図２の（Ｂ）、図３の（Ｂ）参照）。このとき、ノック部１４も上端が下方位置Ｐ２で保持されるので、キャラクタ像下部２２Ａは、隠し部３０の上端面より下方に位置する。このため、外側からはキャラクタ本体２０のキャラクタ像下部２２Ａが隠し部３０に隠れ、キャラクタ像上部２２Ａだけが露出しているように見える。
【００１７】
次に、キャラクタ像上部２２Ｂが再び指で下方に押圧されると、キャラクタ本体２０と一体にノック部１４が押し下げられ、芯６が下方に押し出されながら回転し、ペン先７が先端口５のロック位置より下方に押し下げられると、芯６とロック機構１２の係合が解かれる。続いて、指がキャラクタ本体２０から離れ押圧力が消えると、芯６はばね１１により上方に弾性復帰されるとともにロック機構１２に係合し今度は上側ロック位置に保持される。このとき、ペン先７は先端口５から内部に収納された状態で、すなわち、筆記不能状態でロックされる（図１の（Ａ）、図２の（Ａ）、図３の（Ａ）参照）。このとき、ノック部１４は上端が上方位置Ｐ１で保持されるので、キャラクタ本体２０のキャラクタ像下部２２Ａも隠し部３０から露出し、キャラクタ像２２全体が隠し部３０から露出することになる。そして、キャラクタ像上部２２Ｂを指で押圧するたびに、キャラクタ像下部２２Ａは隠し部３０に隠れたり、現れたりを交互に繰り返す。このように、キャラクタ本体２０の上部を押すたびにキャラクタ本体２０の一部が隠し部３０に隠れたり隠し部３０から現れたりするので、単純な動きの変化でかくれんぼ遊びをしているような楽しい動作を需要者に印象付けることができる。上述のように、上記第１の実施例に係る筆記具では、キャラクタ本体２０はノック部１４上に、隠れ部３０は軸筒上端部にそれぞれ設けるようにしているので、空間的な制約が少なく、キャラクタ本体２０の設計寸法の自由度が増し、多様なキャラクタに対応させることができる。さらに、空間的制約が少ないので、キャラクタ本体２０を大きくかつ頑丈な作りとすることができ、耐久性を向上させることができる。
【実施例２】
【００１８】
図４の（Ａ）、（Ｂ）は、本発明の第２の実施例に係るもので、この筆記具１０２では、キャラクタ本体１２０の上部１２２Ｂには、キャラクタ本体１２０の下部１２２Ａが隠れ部１３０に隠れた際、キャラクタ本体１２０の顔部分１４０、すなわち、キャラクタの主要な意匠部を見えにくくする蓋状部１４１がキャラクタ１２２の一部として形成されている。この実施例では、キャラクタ本体１２０が蓋状部１４１を有している点を除き、前記第１の実施例とほぼ同一の構成を備えている。すなわち、この第２の実施例では、キャラクタ本体１２０は動物のリスとなっており、そのキャラクタ本体１２０が隠れる隠れ部１３０はドングリとして描かれてキャラクタの一部となっている。このキャラクタ本体１２０の蓋状部１４１はリスが腕で持ち上げた椀状の殻斗となっている。このリスのキャラクタ像１２２は、前側と後側との２面に描かれている。この第２の実施例に係る筆記具１０２では、キャラクタ像１２２の上部１２２Ｂに蓋状部１４１が形成されているので、キャラクタ像１２２の下部１２２Ａが隠れ部１３０に隠れた際、蓋状部１４１によりキャラクタ像１２２の顔部分１４０が見えにくくなっている。このため、キャラクタ本体１２０全体が露出したときの印象がより強くなり、意外性が増大する。このため、子どもの関心を引きつけやすくなる。
【実施例３】
【００１９】
図５の（Ａ）、（Ｂ）は、本発明の第３の実施例に係るもので、この筆記具２０２では、キャラクタ本体２２０は、動物の熊となっており、このキャラクタ本体２２０が隠れる隠れ部２３０は蜜の壺としてこれら両者でキャラクタ２２２を構成している。この第３の実施例では、熊のキャラクタ本体２２０が上記第２の実施例のような蓋状部１４１を備えていない点を除いて、前記第２の実施例とほぼ同一の構成を備えている。
【００２０】
なお、上記各実施例では、ロック機構１２とノック機構１５とを設けているがこれに限られるものではなく、ペン先７の出没状態に応じてノック部１４を上下いずれかの位置に保持するものであればよく、芯、ロック機構、ノック機構については従来のノック式ボールペンの構造を利用してよいことはいうまでもない。さらに、上記各実施例ではキャラクタ本体をノック部材１４に固定しているが、これに限られるものではなく、回動自在にしたり、ノック部材１４に対して上下動させたりするようにしてもよい。
【図面の簡単な説明】
【００２１】
【図１】（Ａ）、（Ｂ）はそれぞれ、本発明の第１の実施例に係る筆記具を示す動作時の全体図である。（実施例１）
【図２】（Ａ）、（Ｂ）はそれぞれ、図１の筆記具の要部を拡大して示す動作時の断面図である。
【図３】（Ａ）、（Ｂ）はそれぞれ、図１の筆記具の軸筒とノック部の内部の構造を示す動作時の縦断面図である。
【図４】（Ａ）、（Ｂ）はそれぞれ、本発明の第２の実施例に係る筆記具を示す動作時の全体図である。（実施例２）
【図５】（Ａ）、（Ｂ）はそれぞれ、本発明の第３の実施例に係る筆記具を示す動作時の全体図である。（実施例３）
【符号の説明】
【００２２】
２  筆記具
３  軸筒
６  ボールペンの芯（筆記体）
１４  ノック部
２０  キャラクタ本体
２１  キャラクタ本体下端部
２２Ｂ  キャラクタ本体上部
３０  隠し部
３１  空間
Ｐ１  ノック部上側位置
Ｐ２  ノック部下側位置
【図１】
2005305925.tif 000003
【図２】
2005305925.tif 000004
【図３】
2005305925.tif 000005
【図４】
2005305925.tif 000006
【図５】
2005305925.tif 000007